(57)【要約】【課題】  エレベータ点検中において利用者に点検中である旨を確実に報知でき、点検中における利用者の乗りかご内への乗り込みを防止できるエレベータ点検システムを提供する。【解決手段】  エレベータのかご内操作盤に設けられ、通常運転側と点検側とを切替可能な点検スイッチ１２と、エレベータの乗りかご内に利用者が居るかどうか、又は利用者が乗りかご内に乗り込もうとしているかを検知する利用者検知部２１と、点検スイッチ１２が点検側に切り替えられており、かつ、利用者検知部２１によって利用者が検知されたときには、当該利用者に対して点検中である旨を報知手段２４，２５と、かご内操作盤２に設けられた、点検作業員による操作によって報知手段による報知を停止させる報知停止手段２３と、を備える。【選択図】図２
2019011182.tif 000002
【特許請求の範囲】
【請求項１】
エレベータのかご内操作盤に設けられ、通常運転側と点検側とを切替可能な点検スイッチと、
エレベータの乗りかご内に利用者が居るかどうか、又は利用者が乗りかご内に乗り込もうとしているかを検知する利用者検知手段と、
前記点検スイッチが点検側に切り替えられており、かつ、前記利用者検知手段によって利用者が検知されたときには、当該利用者に対して点検中である旨を報知する報知手段と、
前記かご内操作盤に設けられ、点検作業員による操作によって前記報知手段による報知を停止させる報知停止手段と、
を備えることを特徴とするエレベータ点検システム。
【請求項２】
前記利用者検知手段は、エレベータのかごドアに設置され、乗りかご内に乗り込む利用者を検知するドアセフティが作動したとき、又は利用者によるかご内ボタン操作が検出されたときに利用者を検知する、
ことを特徴とする請求項１に記載のエレベータ点検システム。
【請求項３】
前記報知手段は、音声によるアナウンス、表示画面による表示、照明やボタンの点滅、又はこれらの組合せによって利用者に点検中である旨を報知する、
ことを特徴とする請求項１又は２に記載のエレベータ点検システム。
【請求項４】
前記点検スイッチが通常運転側から点検側に切り替えられたとき、行先階ボタンによる行先階登録を無効にし、前記点検スイッチが点検側から通常運転側に切り替えられたとき、及び前記報知停止手段が操作されたとき、行先階ボタンによる行先階登録を有効にする行先階登録切替手段を更に備える、
ことを特徴とする請求項１乃至３の何れか１項に記載のエレベータ点検システム。
【請求項５】
エレベータの乗場を撮像する撮像手段と、
前記撮像手段からの撮像信号に基づき、前記乗場に居る者が乗りかご内に乗込むことを予知する予知手段を更に備え、
前記報知手段は、予知手段によって前記乗場に居る者が乗りかご内に乗り込むことが予知された場合には、前記利用者に対して点検中である旨を報知する、
ことを特徴とする請求項１乃至４の何れか１項に記載のエレベータ点検システム。
【発明の詳細な説明】
【技術分野】
【０００１】
本発明の実施形態は、エレベータ点検システムに関する。
【背景技術】
【０００２】
従来、エレベータの点検に際しては、利用者に対してエレベータが点検中である旨を知らせるために、エレベータホール前に点検柵を置いたり、乗場ドアに「点検中」と書かれた点検札を掲示したりしている。また、乗りかご内に点検柵を設置することもある。このように、従来は目視できるような手法で点検中である旨を利用者に報知するのが一般的である。
【先行技術文献】
【特許文献】
【０００３】
【特許文献１】特開２０１２−１９７１７０号公報
【特許文献２】特開２０１０−１６８１９１号公報
【発明の概要】
【発明が解決しようとする課題】
【０００４】
しかし、目の不自由な方がエレベータを利用する場合、点検柵や点検札を設置して点検中であることを報知する手法では、点検中である旨を周知させることは難しい。また、エレベータの利用を急いでいる利用者は、上述のような点検柵や点検札の存在に気付かない場合もある。
【０００５】
このように、目視に頼って点検中である旨を利用者に報知する従来の手法には限界があり、その改良が求められている。
【０００６】
上記事情に鑑み本発明の実施形態は、エレベータ点検中において利用者に点検中である旨を確実に報知でき、点検中における利用者の乗りかご内への乗り込みを防止できるエレベータ点検システムを提供することを目的とする。
【課題を解決するための手段】
【０００７】
上記目的を達成するための態様は、エレベータのかご内操作盤に設けられ、通常運転側と点検側とを切替可能な点検スイッチと、エレベータの乗りかご内に利用者が居るかどうか、又は利用者が乗りかご内に乗り込もうとしているかを検知する利用者検知手段と、前記点検スイッチが点検側に切り替えられており、かつ、前記利用者検知手段によって利用者が検知されたときには、当該利用者に対して点検中である旨を報知する報知手段と、前記かご内操作盤に設けられ、点検作業員による操作によって前記報知手段による報知を停止させる報知停止手段と、を備える。
【図面の簡単な説明】
【０００８】
【図１】実施形態に係るエレベータの全体構成を示す説明図。
【図２】第１実施形態におけるエレベータ点検システムの構成を示すブロック図。
【図３】第１実施形態におけるエレベータ点検システムの処理手順を示すフローチャート。
【図４】第２実施形態における乗場側の構成を示すブロック図。
【図５】第２実施形態におけるエレベータ点検システムの構成を示すブロック図。
【図６】第２実施形態におけるエレベータ点検システムの処理手順を示すフローチャート。
【発明を実施するための形態】
【０００９】
＜第1実施形態＞
次に、第１実施形態に係るエレベータ点検システムを説明する。
【００１０】
図１は、エレベータの乗りかごを示しており、かごドアが開かれた状態で乗りかご内から乗場方向を見た図である。
【００１１】
図１に示すように、乗りかご１には、乗降口側の壁面にかご内操作盤２が設置されている。また、かごドア（図示せず）には、機械式ドアセフティ３及び光電式ドアセフティ４からなるドアセンサ５が設置され、乗降口を通過する利用者が検出される。また、天井部には天井照明６が設置されている。
【００１２】
機械式ドアセフティ３は、片側又は両側のドアパネルの先端に設けられたセフティシューに利用者が接触するとオンになる機械式スイッチで構成され、スイッチオンとなると、閉まりかけていたドアが反転して開扉する。機械式ドアセフティ３のオン信号は、後述する利用者検知部２１（図２参照）に出力されている。
【００１３】
光電式ドアセフティ４は、かごドアの戸当り面近傍に備えた複数の投光器と複数の受光器とから構成されている。例えば、各投光器は赤外線ビームを投光し、各受光器は、投光器から投光された赤外線ビームを受光するマルチビームドアセンサで構成できる。そして、投光器から投光された赤外線ビームを利用者が遮ると、閉まりかけていたドアが反転して開扉する。光電式ドアセフティ４のオン信号は、後述する利用者検知部２１（図２参照）に出力されている。
【００１４】
かご内操作盤２は、ドアの開閉に使用される開閉ボタン７と、行先階を指示する行先階ボタン８と、音声案内を行うスピーカ９と、種々の案内表示を行う表示器１０と、常時は閉扉しており点検時に開扉される点検ボックス（キーボックスとも称する）１１とを備えている。点検ボックス１１内には点検スイッチ１２と、音声切離しスイッチ１３とが設けられている。
【００１５】
点検ボックス１１内に設置された点検スイッチ１２は、通常運転モードと点検モードとを切り換え可能なスイッチである。点検モードが選択されると、通常運転モードから点検モードに移行して点検モードによるエレベータ運転を可能にする。また、通常運転モードが選択されると、点検モードから通常運転モードに移行し、通常運転モードによるエレベータ運転を可能にする。
【００１６】
音声切離しスイッチ１３は、点検時に点検作業員がオン操作すると、スピーカ９から鳴動中の音声出力を停止させるための音声切離し指令を音声案内部２４に出力する。また、オフ操作すると、音声切離しを解除して音声出力を可能にする。
【００１７】
図２に示すように、かご内操作盤２及びドアセンサ５は、エレベータ制御装置２０に接続されている。エレベータ制御装置２０は、エレベータの動作を統合的に制御する装置であり、利用者検知部２１と、制御装置側点検スイッチ２２と、運転制御部２３と、音声案内部２４と、表示制御部２５とを備えている。
【００１８】
利用者検知部２１は、ドアセンサ５からの利用者検知信号の入力、利用者による開閉ボタン７や行先階ボタン８のボタン操作に基づき、乗りかご１内に乗り込む利用者を検知する。
【００１９】
制御装置側点検スイッチ２２は、エレベータ制御装置２０を構成する制御盤の操作面に設けられ、点検開始時に点検作業員により点検モードが選択されると、運転制御部２３に対して点検モードの実行を指示する。また、点検終了時に点検作業員により通常運転モードが選択されると、通常運転モードへの移行を運転制御部２３に指示する。
【００２０】
運転制御部２３は、点検スイッチ１２又は制御装置側点検スイッチ２２の操作信号を取得し、その操作信号に基づいて、エレベータの運転モードを通常運転モードと点検モードとの間で切り替える。また、利用者検知部２１によりエレベータの利用者が検知されて利用者検知信号が出力されると、音声案内部２４に音声出力指令を出力するとともに、表示制御部２５には、表示出力指令を出力する。
【００２１】
音声案内部２４は、運転制御部２３からの音声出力指令を受けてかご内操作盤２に設けられたスピーカ９に対して音声信号を出力する。例えば、ドアセンサ５からの利用者検知信号に基づき乗降口を通過する利用者が確認されたときに、「只今、エレベータ―点検中の為ご利用になれません。恐れ入りますが、階段等をご利用いただきますようご協力をお願いいたします」、あるいは「このエレベータは保守点検中のため運転を休止しております」等の音声メッセージを出力して利用者に保守点検中であることを知らせ、乗りかご１からの退出を促す。
【００２２】
表示制御部２５は、運転制御部２３からの表示出力指令を受けてかご内操作盤２に設けられた表示器１０に対して表示信号を出力する。例えば、点検時には、「保守点検中」であることを知らせるメッセージを表示器１０に出力する。
【００２３】
次に、第１実施形態の作用について、図３のフローチャートを参照して説明する。
【００２４】
エレベータ制御装置２０は点検スイッチ１２がオン操作、すなわち、通常運転モードから点検モードにされるか否かを監視している（ステップＳＴ１）。点検スイッチ１２がオンされると、運転制御部２３は、運転モードを通常運転モードから点検モードに変更する（ＳＴ２）。点検モードでは、乗場呼びの登録停止、高速運転の停止、点検運転用速度での運行を実行する。
【００２５】
次いで、音声切離しスイッチ１３がオフされた状態で（ＳＴ３オフ）、ドアセンサ５がオン（ＳＴ４オン）となると、利用者検知部２１によって利用者が検知される。利用者が検知されると、運転制御部２３は、音声案内部２４に対して音声出力指令を出力する。こにより、音声案内部２４から音声案内が出力され（ＳＴ５）、スピーカ９から「只今、エレベータ―点検中の為ご利用になれません。恐れ入りますが、階段等をご利用いただきますようご協力をお願いいたします」とアナウンスが流れ、点検中のエレベータに乗った利用者への注意喚起が行われる。一方、点検モード中に、点検作業員により音声切離しスイッチ１３がオンされる（ＳＴ３オン）と、音声案内が切り離される（ＳＴ６）。これにより、音声案内が停止されるので、点検中の点検作業員は点検作業に集中することができる。なお、以上の処理において、点検スイッチとして制御装置側点検スイッチ２２が操作されて点検モードにされた場合も全く同様な手順が実行される。
【００２６】
このように第1実施形態によれば、エレベータの点検中にエレベータに乗り込む利用者に対して音声案内にて点検中である旨を報知するので、目視による案内に比べて確実に点検中である旨を報知でき、その結果、エレベータの乗りかご１内への利用者の閉じ込めが防止できる。
【００２７】
また、点検作業員は、点検中には音声切離しスイッチ１３を操作することによって音声案内を停止させることができるので、点検作業に支障を来すことが無く、点検作業を効率的に行うことができる。
【００２８】
また、音声案内に加えて表示器１０による表示案内を併用することによってより一層、確実な案内を行うことができる。
【００２９】
＜第２実施形態＞
次に、祭２実施形態を図４〜図６を参照して説明する。図４はエレベータ乗場の構成、図５は第２実施形態における点検システムの構成、図６は第２実施形態の動作を説明するフローチャートを示している。なお、図５において、図２と同一構成部分には同一番号を付している。
【００３０】
第２実施形態は乗場に居る利用者が乗りかご１内に乗込むことが予知された場合には、利用者に対して点検中である旨を報知するようにしたことを特徴とする。
【００３１】
図４に示すように、エレベータ乗場３０は、乗場ドア３１と、乗場操作盤３２と、乗場スピーカ３３を備えている。また、三方枠３４の上方には、乗場表示装置３５と、カメラ３６とが設けられている。
【００３２】
カメラ３６は、エレベータ乗場３０の検知エリア３７に居る利用者を撮像して、その撮像信号をエレベータ制御装置２０に供給する。
【００３３】
第２実施形態のエレベータ制御装置２０は、第１実施形態と同様、利用者検知部２１と、制御装置側点検スイッチ２２と、運転制御部２３と、音声案内部２４と、表示制御部２５とを備えている。特に、第２実施形態のエレベータ制御装置２０は、利用者予知部３８を備えている。
【００３４】
利用者予知部３８は、カメラ３６により、エレベータ乗場３０の検知エリア３７に居る利用者を撮像して得られた撮像信号を入力し、この撮像信号を画像処理して検知エリア３７に居る利用者がエレベータに乗り込もうとしているのか、単に検知エリア３７に立っているだけなのかを識別する。検知エリア３７に居る利用者がエレベータに乗り込もうとしていると予知される場合には、利用者予知信号を運転制御部２３に出力する。
【００３５】
運転制御部２３は、利用者予知信号を入力すると、音声案内部２４に音声出力指令を出力するとともに、表示制御部２５に表示出力指令を出力する。
【００３６】
次に、第２実施形態におけるエレベータ点検システムの処理手順について図６のフローチャートに基づき説明する。
【００３７】
第２実施形態では、ステップＳＴ１からステップＳＴ６までの処理は第1実施形態と同様である。第２実施形態では、ドアセンサ５がオフの場合（ＳＴ４オフ）、利用者予知部３８によって乗りかご１に乗り込む可能性のある利用者を予知し、利用者が予知できる場合（ＳＴ７YES）には、音声案内を出力する。この場合も例えば、「このエレベータは保守点検中のため運転を休止しております」という音声案内をスピーカ９及び乗場スピーカ３３から出力する。また、点検モード中に、点検作業員により音声切離しスイッチがオンされる（ＳＴ３オン）と、音声案内が切り離される（ＳＴ６）。これにより、音声案内をスピーカ９及び乗場スピーカ３３からの音声案内は中止される。このため、点検中の点検作業員は点検作業に集中することができる。
【００３８】
このように第２実施形態によれば、第１実施形態と同様の効果を奏するとともに、乗りかご１内に乗り込むことが予知される利用者が居る場合には、音声案内によって点検中である旨を報知するので、利用者に対してより確実に点検中である旨を報知することができる。
【００３９】
なお、第１実施形態及び第２実施形態では、音声案内による点検中である旨の報知、音声案内と表示案内の両方により点検中である旨を表示するようにした。これに限られず、例えば、音声案内とともに、天井照明６や行先階ボタン８あるいは乗場操作盤３２のかご呼びボタン等を点滅させたりして点検中である旨を報知するようにしてもよい。
【００４０】
また、運転制御部２３は、点検スイッチ１２が通常運転側から点検側に切り替えられたとき、行先階ボタン８による行先階登録を無効にし、点検スイッチ１２が点検側から通常運転側に切り替えられたとき、及び音声切離しスイッチ１３が操作されたとき、行先階ボタン８による行先階登録を有効にする行先階登録切替手段として機能する。したがって、点検作業員が音声切離しスイッチ１３を動作させると、音声案内の停止とともに、行先階ボタン８による行先階登録が可能となり、点検作業員の点検作業に支障を与えないようにすることができる。
【００４１】
以上、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４２】
１…乗りかご、２…かご内操作盤、３…機械式ドアセフティ、４…光電式ドアセフティ、５…ドアセンサ、６…天井照明、７…開閉ボタン、８…行先階ボタン、９…スピーカ、１０…表示器、１１…点検ボックス、１２…点検スイッチ、１３…音声切離しスイッチ（報知停止手段）、２０…エレベータ制御装置、２１…利用者検知部、２２…制御装置側点検スイッチ、２３…運転制御部（行先階登録切替手段）、２４…音声案内部、２５…表示制御部、３０…エレベータ乗場、３１…乗場ドア、３２…乗場操作盤、３３…乗場スピーカ、３４…三方枠、３５…乗場表示装置、３６…カメラ（撮像手段）、３７…検知エリア、３８…利用者予知部。
【図１】
2019011182.tif 000003
【図２】
2019011182.tif 000004
【図３】
2019011182.tif 000005
【図４】
2019011182.tif 000006
【図５】
2019011182.tif 000007
【図６】
2019011182.tif 000008
【手続補正書】
【提出日】平成30年7月18日(2018.7.18)
【手続補正１】
【補正対象書類名】特許請求の範囲
【補正対象項目名】全文
【補正方法】変更
【補正の内容】
【特許請求の範囲】
【請求項１】
エレベータのかご内操作盤に設けられ、通常運転側と点検側とを切替可能な点検スイッチと、
エレベータの乗りかご内に利用者が居るかどうか、又は利用者が乗りかご内に乗り込もうとしているかを検知する利用者検知手段と、
前記点検スイッチが点検側に切り替えられており、かつ、前記利用者検知手段によって利用者が検知されたときには、当該利用者に対して点検中である旨を報知する報知手段と、
前記かご内操作盤に設けられ、点検作業員による操作によって前記報知手段による報知を停止させる報知停止手段と、を備え、
前記利用者検知手段は、エレベータのかごドアに設置され、乗りかご内に乗り込む利用者を検知するドアセフティが作動したとき、又は利用者によるかご内ボタン操作が検出されたときに利用者を検知する、
ことを特徴とするエレベータ点検システム。
【請求項２】
前記報知手段は、音声によるアナウンス、表示画面による表示、照明やボタンの点滅、又はこれらの組合せによって利用者に点検中である旨を報知する、
ことを特徴とする請求項１に記載のエレベータ点検システム。
【請求項３】
前記点検スイッチが通常運転側から点検側に切り替えられたとき、行先階ボタンによる行先階登録を無効にし、前記点検スイッチが点検側から通常運転側に切り替えられたとき、及び前記報知停止手段が操作されたとき、行先階ボタンによる行先階登録を有効にする行先階登録切替手段を更に備える、
ことを特徴とする請求項１又は２に記載のエレベータ点検システム。
【請求項４】
エレベータの乗場を撮像する撮像手段と、
前記撮像手段からの撮像信号を画像処理して、前記乗場に居る者が乗りかご内に乗込むことを予知する予知手段を更に備え、
前記報知手段は、予知手段によって前記乗場に居る者が乗りかご内に乗り込むことが予知された場合には、前記利用者に対して点検中である旨を報知する、
ことを特徴とする請求項１乃至３の何れか１項に記載のエレベータ点検システム。